(57)【要約】      （修正有）【課題】部品点数と組立工数とを削減することができるタッチパネルの支持部材を提供する。【解決手段】外装カバー１１と表示パネル１４との間に配置される弾性体で、表示パネル１４の表面側に重畳配置されるタッチパネル１２の支持部材であって、表示パネル１４の周縁部の少なくとも一部に係合される係合部１３ａと、タッチパネル１２の導電箇所に対する絶縁性を確保する絶縁部１３ｂと、タッチパネル１２の表面に接触する導電部１３ｃと、支持部材に対するタッチパネル１２の位置決めをするタッチパネル位置決め部１３ｄと、を有してなる。【選択図】図８
2014164674.tif 000002
【特許請求の範囲】
【請求項１】
外装カバーと表示パネルとの間に配置される弾性体で、前記表示パネルの表面側に重畳配置されるタッチパネルの支持部材であって、
前記表示パネルの周縁部の少なくとも一部に係合される係合部と、
前記タッチパネルの導電箇所に対する絶縁性を確保する絶縁部と、
前記タッチパネルの表面に接触する導電部と、
前記支持部材に対する前記タッチパネルの位置決めをするタッチパネル位置決め部と、
を有してなることを特徴とするタッチパネルの支持部材。
【請求項２】
前記外装カバーに対する前記タッチパネルの位置決めをするカバー位置決め部が前記外装カバーとの対向面に設けられている、
請求項１記載のタッチパネルの支持部材。
【請求項３】
前枠と後枠と左枠と右枠の４つの枠で形成され平面視矩形の枠体であって、
前記凹部は、前記４つの枠のうち、少なくとも前記左枠と前記右枠とに設けられ、
前記タッチパネル位置決め部は、前記前枠に設けられ、
前記後枠は、前記左枠と前記右枠とに連結していて、前記タッチパネルが前記凹部に挿抜されるときには前記左枠と前記右枠との連結の少なくともいずれか一方が解除されて前記タッチパネルの挿抜口が開放される、
請求項１または２記載のタッチパネルの支持部材。
【請求項４】
前記左枠と前記右枠との長手方向には、前記凹部としてのレールが設けられ、
前記タッチパネルは、前記後枠の側から前記レールに沿って前記前枠の側に向けて挿入された後に前記挿抜口が閉鎖されて、前記タッチパネル位置決め部と前記後枠とに当接した状態で前記枠体に固定支持される、
請求項３記載のタッチパネルの支持部材。
【請求項５】
前記前枠には、前記タッチパネルの前記枠体に対する挿入方向先端側の表裏面を把持する凹部が設けられ、
前記タッチパネル位置決め部は、前記前枠の凹部の底面であり、
前記タッチパネルは、前記タッチパネルの前記枠体に対する挿入方向先端側の端面が、前記前枠の凹部の底面に当接することで、前記枠体に対して位置決めされる、
請求項４記載のタッチパネルの支持部材。
【請求項６】
前記後枠には、前記タッチパネルの前記枠体に対する挿入方向後端側の表裏面を把持する凹部が設けられ、
前記タッチパネルは、前記タッチパネルの前記枠体に対する挿入方向後端側の端面が前記後枠の凹部の底面に当接した状態で、前記枠体に固定支持される、
請求項４または５記載のタッチパネルの支持部材。
【請求項７】
前記前枠の凹部と前記後枠の凹部とは、前記左枠のレールと前記右枠のレールとに連通するレールである、
請求項４乃至６のいずれかに記載のタッチパネルの支持部材。
【請求項８】
前記タッチパネルは、前記タッチパネルの周縁端面が前記左枠の凹部の底面と前記右枠の凹部の底面と前記前枠の凹部の底面と前記後枠の凹部の底面とに当椄した状態で、前記枠体に固定支持されている、
請求項６または７のいずれかに記載のタッチパネルの支持部材。
【請求項９】
前記左枠と前記右枠と前記前枠と前記後枠のそれぞれの凹部の深さは、一定である、
請求項８記載のタッチパネルの支持部材。
【請求項１０】
前記絶縁部は、前記タッチパネルの導電箇所と面する部分が絶縁性を有する、
請求項１記載のタッチパネルの支持部材。
【請求項１１】
前記絶縁部は、前記タッチパネル位置決め部と前記タッチパネルの導電箇所とが面する部分に設けられる、
請求項１記載のタッチパネルの支持部材。
【請求項１２】
表示パネルと、
前記表示パネルの表面側に重畳配置されるタッチパネルと、
前記タッチパネルの操作領域を視認可能に覆う外装カバーと、
前記外装カバーと前記表示パネルとの間に配置されるタッチパネルの支持部材と、
を備えた表示入力装置であって、
前記タッチパネルの支持部材は、請求項１乃至１１のいずれかに記載のタッチパネルの支持部材である、
ことを特徴とする表示入力装置。
【請求項１３】
操作画面が表示される表示パネルと、前記操作画面に対する操作者の操作内容を受け付けるタッチパネルと、を備えた表示入力装置を有してなる電子機器であって、
前記表示入力装置は、請求項１２記載の表示入力装置である、
ことを特徴とする電子機器。
【請求項１４】
操作画面が表示される表示パネルと、前記操作画面に対する操作者の操作内容を受け付けるタッチパネルと、を備えた表示入力装置を有してなり、
前記操作内容に基づいて画像を形成する画像形成装置であって、
前記表示入力装置は、請求項１２記載の表示入力装置である、
ことを特徴とする画像形成装置。
【発明の詳細な説明】
【技術分野】
【０００１】
本発明は、表示パネルの表面側に配置されるタッチパネルの支持部材と、表示パネルとタッチパネルとを備えた表示入力装置と、この表示入力装置を有してなる電子機器と、この表示入力装置を有してなる画像形成装置とに関するものである。
【背景技術】
【０００２】
画像形成装置などの各種電子機器に備えられる表示入力装置には、タッチパネルを有するものがある。
【０００３】
タッチパネルを有する表示入力装置の多くは、表示パネルの上に透明なタッチパネルを配置し、表示面を直接触れるような感覚で電子機器の操作をすることができる。
【０００４】
一般的に、タッチパネルを有する表示入力装置では、外装カバーに設けられた開口部の内側に、タッチパネルと表示パネルが重ねて配置されている。
【０００５】
ここで、衝撃吸収・防塵・防滴のためにタッチパネルと表示パネルとの間に配置されるクッション部材と、静電気の放電を遮断するためにタッチパネル表面枠部に配置されるシールド部材とを有する表示入力装置が知られている（例えば、特許文献１参照）。
【０００６】
しかし、特許文献１に開示されるタッチパネル組付構造では、静電気保護や衝撃保護・防塵・防滴といった、タッチパネルの使用にあたり要求される各機能に対応する部品が、タッチパネルの表裏面・タッチパネル・表示パネルの各部に分離されている。
【０００７】
そのため、特許文献１の技術では、部品点数の増加と、各部品同士の配置に精度が要求されるため、組立工数の増加という問題があった。
【０００８】
また、静電気保護機能のための導電部と衝撃保護機能のための弾性部とを有するシートを一体打ち抜きにて形成し、外装カバーとタッチパネルとの間に配置することで、薄型化と作業工程の簡素化とを図る技術が提案されている（例えば、特許文献２参照）。
【発明の概要】
【発明が解決しようとする課題】
【０００９】
しかしながら、特許文献２の技術では、防塵機能の部品と防滴機能の部品とが別部品となるため、部品点数が増加してしまうという問題がある。
【００１０】
また、特許文献２の技術では、防塵機能の部品と防滴機能の部品とを精度よく組み付けるのが難しいため、組立工数が増加してしまうという問題がある。
【００１１】
本発明は、部品点数と組立工数とを削減することができるタッチパネルの支持部材を提供することを目的とする。
【課題を解決するための手段】
【００１２】
本発明は、外装カバーと表示パネルとの間に配置される弾性体で、表示パネルの表面側に重畳配置されるタッチパネルの支持部材であって、表示パネルの周縁部の少なくとも一部に係合される係合部と、タッチパネルの導電箇所に対する絶縁性を確保する絶縁部と、タッチパネルの表面に接触する導電部と、支持部材に対するタッチパネルの位置決めをするタッチパネル位置決め部と、を有してなることを特徴とする。
【発明の効果】
【００１３】
本発明によれば、部品点数と組立工数とを削減することができる。
【図面の簡単な説明】
【００１４】
【図１】本発明に係る表示入力装置の実施の形態を示す斜視図である。
【図２】上記表示入力装置の側断面図である。
【図３】上記表示入力装置のタッチパネルの要部の拡大側断面図である。
【図４】上記表示入力装置の比較例の要部の拡大側断面図である。
【図５】本発明に係るタッチパネルの支持部材の斜視図である。
【図６】上記タッチパネルの支持部材の後枠が開放した状態を示す斜視図である。
【図７】前枠の側断面図である。
【図８】後枠の側断面図である。
【図９】右枠と後枠との接合部に設けられた切り込みにより形成されるヒンジ部を示す斜視図である。
【図１０】左枠と後枠との連結部を示す斜視図である。
【図１１】左枠と後枠との連結状態を示す斜視図である。
【図１２】本発明に係るタッチパネルの支持部材の別の実施の形態における前枠の側断面図である。
【図１３】本発明に係るタッチパネルの支持部材のさらに別の実施の形態における前枠の側断面図である。
【図１４】本発明に係るタッチパネルの支持部材のさらに別の実施の形態における前枠の側断面図である。
【発明を実施するための形態】
【００１５】
以下、本発明に係るタッチパネルの実施の形態を示す支持部材と表示入力装置と電子機器と画像形成装置との実施の形態について、図面を参照しながら説明する。
【００１６】
●表示入力装置●
まず、本発明に係る表示入力装置の実施の形態について説明する。
【００１７】
図１は、本発明に係る表示入力装置の実施の形態を示す斜視図である。また、図２は、本発明に係る表示入力装置の側断面図である。
【００１８】
本発明に係る表示入力装置１は、例えば画像形成装置などの電子機器の操作パネルとして用いられる。図１と図２に示すように、表示入力装置１は、操作領域を視認可能に覆う外装カバー１１と、タッチパネル１２と、液晶パネル１４とを有する。
【００１９】
図３は、表示入力装置１のタッチパネル１２の要部の拡大側断面図である。同図において、タッチパネル１２の一例として、抵抗膜方式のタッチパネルを示している。
【００２０】
タッチパネル１２は、ガラスなどの基材１２ｂと、基材１２ｂの上に配置される２枚のシート状の抵抗膜１２ｃと、２枚の抵抗膜１２ｃにより挟まれている回路パターンなどの導電箇所１２ｄと、により構成されている。ここで、タッチパネル１２は、導電箇所がタッチパネル１２の端面１２ａから外部に露出している。
【００２１】
なお、本発明に係る表示入力装置におけるタッチパネルは、タッチパネルの一部から導電箇所が露出しているものであれば、抵抗膜方式に限らず静電容量方式や赤外線方式などの各種方式のタッチパネルを用いることができる。
【００２２】
液晶パネル１４は、本発明における表示パネルの一例である。なお、本発明における表示パネルには、液晶パネルのほかに有機ＥＬ（Electro Luminescence）パネルなどの各種ディスプレイパネルを用いることができる。
【００２３】
そして、表示入力装置１は、液晶パネル１４の表示面にタッチパネル１２を重ねることで、表示面上に表示される操作内容（操作ボタンを模した図形など）に触れて操作することができる。
【００２４】
図４は、本発明に係る表示入力装置の比較例におけるタッチパネル１２の要部の拡大側断面図である。同図に示すように、比較例の表示入力装置では、タッチパネル１２は、衝撃保護、防塵、防滴のため、第１支持部材２１と第２支持部材２２とによって支持されている。
【００２５】
第１支持部材２１と第２支持部材２２は、クッション性のある部材により形成される。第１支持部材２１は、タッチパネル１２を外装カバー１１（タッチパネル１２の表面）側から支持する。また、第２支持部材２２は、タッチパネル１２を液晶パネル１４（タッチパネル１２の裏面）側から支持する。
【００２６】
液晶パネル１４は、非表示面（裏面）側をブラケット１５により支持される。また、液晶パネル１４の表示面（表面）側には、第２支持部材２２を介してタッチパネル１２が配置される。
【００２７】
シールド部材２３は、外装カバー１１と第１支持部材２１との間からタッチパネル１２の表裏面を囲むように配置される。シールド部材２３は、導電性の材料により形成される。
【００２８】
シールド部材２３は、タッチパネル１２を指やペンで操作する際に、帯電した指やペンの先からタッチパネル１２の表面の端面１２ａ側にある不図示の電子回路に静電気が飛ぶことによる故障を防止する。
【００２９】
しかし、以上説明した比較例におけるタッチパネル１２の支持構造は、衝撃吸収、防塵、防滴のための第１支持部材２１及び第２支持部材２２と、静電気保護のためのシールド部材２３とがそれぞれ独立して配置されている。
【００３０】
そのため、以上説明した比較例におけるタッチパネル１２の支持構造では、部品点数の増加と組立工数の増加という問題がある。
【００３１】
また、以上説明した比較例におけるタッチパネル１２の支持構造では、独立した部品同士を各々規定の位置に精度良く配置するための位置決めが困難である。
【００３２】
●タッチパネルの支持部材●
次に、本発明に係る表示入力装置に用いられるタッチパネル１２の支持部材の実施の形態について説明する。
【００３３】
図５は、タッチパネル１２の支持部材１０の斜視図である。また、図６は、タッチパネル１２の支持部材１０の後枠１３が開放した状態を示す斜視図である。後述のように、本発明に係るタッチパネル１２の支持部材１０は、タッチパネル１２を液晶パネル１４に組み付ける部品である。
【００３４】
支持部材１０は、外装カバー１１と液晶パネル１４との間に配置される、一部に導電性材料を用いた弾性体で、液晶パネル１４の表面側に重畳配置される。
【００３５】
支持部材１０は、前枠１６と後枠１３と左枠１８と右枠１７の４つの枠で形成され平面視矩形の枠体である。ここで、支持部材１０は、外装カバー１１とタッチパネル１２と液晶パネル１４との間の位置を規定するように配置される。
【００３６】
後枠１３は、左枠１８と右枠１７との一端に連結している。また、前枠１６は、左枠１８と右枠１７との他端に連結している。
【００３７】
支持部材１０には、カバー位置決め部１３ｅとカバー位置決め部１６ｅが設けられる。カバー位置決め部１３ｅとカバー位置決め部１６ｅは、支持部材１０の外装カバー１１との対向面に設けられている。
【００３８】
タッチパネル１２は、カバー位置決め部１３ｅとカバー位置決め部１６ｅとにより、支持部材１０を介して外装カバー１１に固定支持される。カバー位置決め部１３ｅとカバー位置決め部１６ｅを設けることにより、支持部材１０は、外装カバー１１に対してタッチパネル１２を精度よく位置決めすることができる。
【００３９】
タッチパネル１２が、後述する左枠１８と右枠１７とに設けられた凹部に挿抜されるときには、左枠１８または右枠１７と後枠１３との連結の少なくともいずれか一方が解除されてタッチパネル１２の挿抜口が開放される。つまり、支持部材１０は、開放された後枠１３の部分がタッチパネル１２の挿抜口となる。タッチパネル１２は、挿抜口側から左枠１８と右枠１７の凹部に差し込む（挿入する）ようにして支持部材１０に取り付けられる。
【００４０】
なお、凹部は、４つの枠のうち、少なくとも左枠１８と右枠１７とに設けられていればよい。また、左枠１８と右枠１７との長手方向には、凹部としての長手方向に延長したレールが設けられてもよい。
【００４１】
図７は、前枠１６の側断面図である。同図に示すように、前枠１６は、係合部１６ａと凹部１６ｂと導電部１６ｃとタッチパネル位置決め部１６ｄと、絶縁部１６ｆとを有してなる。
【００４２】
係合部１６ａは、液晶パネル１４の周縁部１４ａの少なくとも一部に係合される。ここで、液晶パネル１４の周縁部１４ａは、液晶パネル１４の表面と側面との接合部とその付近の箇所をいう。係合部１６ａが周縁部１４ａに係合することで、支持部材１０に対する液晶パネル１４の位置決めをすることができる。
【００４３】
なお、係合部は、前枠１６に設けられる係合部１６ａ以外にも、後枠１３と左枠１８と右枠１７にも設けられる。
【００４４】
凹部１６ｂは、タッチパネル１２の挿入方向先端側の端面１２ａ付近の表裏面を把持する。
【００４５】
導電部１６ｃは、支持部材１０に表面処理された導電性の部材で構成され、タッチパネル１２の表面と液晶パネル１４の不図示の金属製のフレームに接触する。つまり、導電部１６ｃは、タッチパネル１２の操作時に指やペン先から静電気が発生した場合に、導電部１６ｃを介してタッチパネル１２から液晶パネル１４のフレームへ静電気を流すことができる。
【００４６】
そのため、導電部１６ｃは、例えばタッチパネル１２の端面１２ａから露出する電気回路などの導電箇所１２ｂを静電気から保護することができる。
【００４７】
タッチパネル位置決め部１６ｄは、凹部１６ｂの底面に相当し、タッチパネル１２の挿入方向先端側の端面（側面）が突き当たることで、支持部材１０に対するタッチパネル１２の位置決めをする。
【００４８】
絶縁部１６ｆは、電気的絶縁性の部材で構成され、タッチパネル１２の端面１２ａから露出する回路パターンなどの導電箇所１２ｂと面する部分を絶縁する。ここで、絶縁部１６ｆは、タッチパネル位置決め部１６ｄの少なくとも一部により構成される。
【００４９】
図８は、後枠１３の側断面図である。同図に示すように、後枠１３は、係合部１３ａと凹部１３ｂと導電部１３ｃとタッチパネル位置決め部１３ｄとカバー位置決め部１３ｅと、絶縁部１３ｆとを有してなる。
【００５０】
係合部１３ａは、液晶パネル１４の周縁部１４ａの少なくとも一部に係合される。係合部１３ａが周縁部１４ａに係合することで、支持部材１０に対する液晶パネル１４の位置決めをすることができる。
【００５１】
凹部１３ｂは、タッチパネル１２の挿入方向先端側の端面１２ａ付近の表裏面を把持する。
【００５２】
導電部１３ｃは、支持部材１０に表面処理された導電性の部材で構成され、タッチパネル１２の表面と液晶パネル１４の不図示の金属製のフレームに接触する。つまり、導電部１３ｃは、タッチパネル１２操作時に指やペン先から静電気が発生した場合に、導電部１３ｃを介してタッチパネル１２から液晶パネル１４のフレームへ静電気を流すことができる。
【００５３】
そのため、導電部１３ｃは、例えばタッチパネル１２の端面１２ａから露出する電気回路などの導電箇所１２ｂを静電気から保護することができる。
【００５４】
タッチパネル位置決め部１３ｄは、凹部１３ｂの底面に相当し、タッチパネル１２の端面（側面）１２ａが突き当たることで、支持部材１０に対するタッチパネル１２の位置決めをする。
【００５５】
カバー位置決め部１３ｅは、支持部材１０の外装カバー１１との対向面に設けられている。タッチパネル１２は、カバー位置決め部１３ｅにより、支持部材１０を介して外装カバー１１に固定支持される。
【００５６】
絶縁部１３ｆは、電気的絶縁性の部材で構成され、タッチパネル１２の端面１２ａから露出する回路パターンなどの導電箇所１２ｂと面する部分を絶縁する。ここで、絶縁部１３ｆは、タッチパネル位置決め部１３ｄの少なくとも一部により構成される。
【００５７】
タッチパネル１２は、タッチパネル１２の周縁端面が左枠１８の凹部の底面と右枠１７の凹部の底面と前枠１６の凹部の底面と後枠１３の凹部の底面とに当接した状態で、支持部材１０の枠体に固定支持されている。
【００５８】
なお、左枠１８と右枠１７と前枠１６と後枠１３のそれぞれの凹部の深さは、それぞれの枠ごと、あるいは全ての枠で一定であるのが望ましい。
【００５９】
タッチパネル１２は、凹部が配置された左枠１８と右枠１７に差し込まれて表裏面から挟み込まれる。つまり、支持部材１０により、タッチパネル１２の衝撃保護・防塵・防滴の機能を得ることができる。
【００６０】
図９は、右枠１７と後枠１３との接合部に設けられた切り込みにより形成されるヒンジ部１９を示す斜視図である。同図に示すように、支持部材１０の挿抜口には、挿抜口の左枠１８または右枠１７の一方（図９では右枠１７）の一端から後枠１３の一端へ延長されたヒンジ部１９が設けられる。
【００６１】
図１０は、左枠１８と後枠１３との連結部を示す斜視図である。同図に示すように、左枠１８の一端には、後枠１３との連結ピン１８ａが設けられる。また、後枠１３の他端には、連結ピン１８ａが挿入可能な連結孔１３ｆが設けられる。
【００６２】
図１１は、左枠１８と後枠１３との連結状態を示す斜視図である。同図に示すように、連結ピン１８ａと連結孔１３ｆとを結合させることにより、左枠１８と後枠１３とが連結されて、挿抜口を閉鎖することができる。
【００６３】
したがって、連結ピン１８ａと連結孔１３ｆとにより、支持部材１０は、密閉性を向上させると共に、閉鎖した挿抜口が開いてタッチパネル１２が支持部材１０から抜け出てしまうことを防ぐことができる。
【００６４】
以上説明した支持部材１０の構成により、タッチパネル１２は、タッチパネル位置決め部１３ｄと挿入方向後端側の端面１２ａとが当接した状態で支持部材１０に固定支持される。
【００６５】
また、以上説明した支持部材１０の構成により、タッチパネル１２は、タッチパネル位置決め部１６ｄと挿入方向前端側の端面１２ａとが当接した状態で支持部材１０に固定支持される。
【００６６】
なお、前枠１６の凹部１６ｂと後枠１３の凹部１３ｂとは、左枠１８のレールと右枠１７のレールとに連通するレールであってもよい。
【００６７】
図１２は、本発明に係るタッチパネルの支持部材の別の実施の形態における前枠１６Ａの側断面図である。この実施の形態における支持部材は、前枠１６Ａのように、タッチパネル１２の端面１２ａに接触する凹部１６Ａｂの一部とタッチパネル位置決め部１６Ａｄとに電気的絶縁性を有する部材で表面処理を行うことで、導電箇所１２ｂと面する部分が絶縁部１６Ａｆとなっている。また、前枠１６Ａは、凹部１６Ａｂの一部とタッチパネル位置決め部１６Ａｅ以外の部分が、導電性を有する弾性体の導電部１６Ａｃで構成されている。
【００６８】
図１３は、本発明に係るタッチパネルの支持部材のさらに別の実施の形態における前枠１６Ｂの側断面図である。この実施の形態における支持部材は、前枠１６Ｂのように、凹部１６Ｂｂの一部とタッチパネル位置決め部１６Ｂｄとが、電気的絶縁性を有する部材で構成されることで、導電箇所１２ｂと面する部分が絶縁部１６Ｂｆとなる。
【００６９】
ここで、凹部１６Ｂｂの一部とタッチパネル位置決め部１６Ｂｄとは、インサート成型などの成型方法により、導電性を有する弾性体を用いる導電部１６Ｂｃと一体に形成されている。
【００７０】
図１４は、本発明に係るタッチパネルの支持部材のさらに別の実施の形態における前枠１６Ｃの側断面図である。この実施の形態における支持部材は、前枠１６Ｃのように、タッチパネル位置決め部１６Ｃｄとタッチパネルの導電箇所１２ｂと面する部分に空隙による絶縁部１６Ｃｆを設けている。
【００７１】
以上説明したタッチパネル１２の支持部材１０では、導電部に導電性を有し凹部に絶縁性を有する弾性部品を用いている。このため、タッチパネル１２の支持部材１０では、衝撃保護・防塵・防滴の機能を得るためのクッションと静電気保護機能のためのシールド部材とを、それぞれ個別に配置する必要がない。
【００７２】
タッチパネル１２の支持部材１０では、タッチパネル１２と支持部材１０との位置決めをするタッチパネル位置決め部１３ｄとタッチパネル位置決め部１６ｄを有する。
【００７３】
また、タッチパネル１２の支持部材１０では、タッチパネル１２と液晶パネル１４とを組み付けた状態で外装カバー１１の裏面に設けられた穴部１１ａとの位置を規定できるカバー位置決め部１３ｅとカバー位置決め部１６ｅを有する。
【００７４】
よって、本発明に係るタッチパネル１２の支持部材１０によれば、部品点数と組立工数とを削減することができる。
【００７５】
●電子機器●
次に、本発明に係る電子機器の実施の形態について説明する。本実施の形態では、本発明に係る電子機器として画像形成装置を例に説明する。
【００７６】
本発明に係る画像形成装置は、操作画面が表示される表示パネルと、操作画面に対する操作者の操作内容を受け付けるタッチパネルと、を備えた表示入力装置を有し、操作内容に基づいて画像を形成する装置である。
【００７７】
ここで、表示入力装置は、先に説明した本発明に係る表示入力装置１である。
【００７８】
よって、本発明に係る画像形成装置によれば、表示入力装置１を用いることにより、部品点数と組立工数とを削減することができる。
【符号の説明】
【００７９】
１０      ：支持部材
１１      ：外装カバー
１１ａ    ：穴部
１２      ：タッチパネル
１３      ：後枠
１３ａ    ：係合部
１３ｂ    ：凹部
１３ｃ    ：導電部
１３ｄ    ：タッチパネル位置決め部
１３ｅ    ：カバー位置決め部
１３ｆ    ：連結孔
１４      ：液晶パネル
１５      ：ブラケット
１６      ；前枠
１６ａ    ：係合部
１６ｂ    ：凹部
１６ｃ    ：導電部
１６ｄ    ：タッチパネル位置決め部
１６ｅ    ：カバー位置決め部
１７      ：右枠
１８      ：左枠
１８ａ    ：連結ピン
１９      ：ヒンジ部
【先行技術文献】
【特許文献】
【００８０】
【特許文献１】特開２００２‐２５９０５５号公報
【特許文献２】特開２００９−１６２８９１号公報
【図１】
2014164674.tif 000003
【図２】
2014164674.tif 000004
【図３】
2014164674.tif 000005
【図４】
2014164674.tif 000006
【図５】
2014164674.tif 000007
【図６】
2014164674.tif 000008
【図７】
2014164674.tif 000009
【図８】
2014164674.tif 000010
【図９】
2014164674.tif 000011
【図１０】
2014164674.tif 000012
【図１１】
2014164674.tif 000013
【図１２】
2014164674.tif 000014
【図１３】
2014164674.tif 000015
【図１４】
2014164674.tif 000016